(57)【要約】秤本体に固定されたシールド板１２を介して秤本体に装着される風防装置であって、枠状ベースフレーム２１と、リアフレーム２２と、ガイドフレーム２３と、ガイド部の先端に結合されるフロントパネル２４と、スライド可能なトップパネル２５及びサイドパネル２６、２７とを備え、リアフレームの手前に、トップパネルを取り外して上方向に引き抜くことができるインナーパネル２８が配置されている。風防装置の装着時、枠状ベースフレームに設けた爪をシールド板の切欠き穴１２１に係合させ、ラッチ４０の爪をシールド板の切欠き穴１２２に係合させる。風防装置の着脱が簡単で、計量空間を形成するインナーパネル、サイドパネル、トップパネルの取り外しが容易であるため、楽に清掃できる。
2014034611.tif 000002
【特許請求の範囲】
【請求項１】
秤量皿を支える支軸が上面から突出し、前記上面に固定された四角形状のシールド板が前記支軸の周囲を除く前記上面の略全面を覆っている秤本体に、前記シールド板を介して装着される風防装置であって、
前記シールド板の外周に対応する四角形状に樹脂成形された枠状ベースフレームと、
前記枠状ベースフレームの後方辺上に立設される金属製のリアフレームと、
前記リアフレームの上端に固定される基部、及び該基部の両端から前方に延出する一対のガイド部を有し、前記基部及びガイド部が一体に樹脂成形されたガイドフレームと、
前記ガイドフレームのガイド部の先端に上縁が固定され、前記枠状ベースフレームの前方辺に下縁が係止される透明なフロントパネルと、
前記ガイドフレームの一対のガイド部により前後方向にスライド可能に支持される透明なトップパネルと、
前記ガイドフレームの各ガイド部と前記枠状ベースフレームの左右側方辺との間で前後方向にスライド可能に支持される透明な左右のサイドパネルと、
を備え、
前記シールド板が、対向する辺の立上がり縁のそれぞれに切欠き穴を有し、前記切欠き穴のそれぞれに外側から係合する爪が風防装置の側に設けられていることを特徴とする秤用風防装置。
【請求項２】
請求項１に記載の秤用風防装置であって、前記シールド板の前方辺の立上がり縁及び後方辺の立上がり縁に前記切欠き穴が形成され、前記シールド板の前方辺の立上がり縁に形成された前記切欠き穴に係合する前記爪が、前記枠状ベースフレームの前方辺の裏面に内向きに設けられており、前記シールド板の後方辺の立上がり縁に形成された前記切欠き穴に係合する前記爪が、前記リアフレームの外面に固定されたラッチに設けられており、
前記ラッチは、前記リアフレームに固定されたベース部と、前記ベース部にヒンジ部を介して水平方向に回動可能に支持された回動部と、前記回動部の下縁から下方に延びるシールド抑え部と、前記シールド抑え部に設けられた前記爪と、前記ベース部に重なる位置まで回動された前記回動部を係止するスナップ部と、を具備し、前記回動部が前記スナップ部に係止された状態で前記シールド抑え部の前記爪が、前記シールド板の後方辺の立上がり縁に形成された前記切欠き穴に係合することを特徴とする秤用風防装置。
【請求項３】
請求項２に記載の秤用風防装置であって、前記爪が、爪の先端から離れる程、厚さが増すように成形されていることを特徴とする秤用風防装置。
【請求項４】
請求項１から３のいずれかに記載の秤用風防装置であって、前記シールド板の左右側方辺の立上がり縁が、前記枠状ベースフレームの左右側方辺の内側面に当接することを特徴とする秤用風防装置。
【請求項５】
請求項１から４のいずれかに記載の秤用風防装置であって、秤量皿より後方で前記リアフレームより前方の位置に、前記リアフレームの内側を覆う金属製のインナーパネルが配置され、前記インナーパネルが、前記トップパネルを取り外した後、上方向に引き抜くことが可能であることを特徴とする秤用風防装置。
【請求項６】
請求項５に記載の秤用風防装置であって、前記リアフレームの内側に折り返した両側縁に、前記インナーパネルを保持するとともに、引き抜かれるときの前記インナーパネルをガイドするインナーパネルホルダが取り付けられていることを特徴とする秤用風防装置。
【請求項７】
請求項１から６のいずれかに記載の秤用風防装置であって、前記フロントパネル、トップパネル及びサイドパネルの内面に透明な導電被膜がコーティングされており、前記フロントパネルに形成された導電被膜は、前記枠状ベースフレームの前方辺に配置されたバネ性の接触部材を介して前記シールド板に電気接続し、前記トップパネル及びサイドパネルに形成された導電被膜は、前記ガイドフレームの前記基部に配置されたバネ性の接触部材を介して前記リアフレームに電気接続し、前記リアフレームは、前記枠状ベースフレームの後方辺に配置されたバネ性の接触部材を介して前記シールド板に電気接続することを特徴とする秤用風防装置。
【請求項８】
請求項７に記載の秤用風防装置であって、前記インナーパネルの下端が前記シールド板に接触して、前記インナーパネルと前記シールド板とが電気接続することを特徴とする秤用風防装置。
【発明の詳細な説明】
【技術分野】
【０００１】
本発明は、秤の風防装置に関し、秤本体への着脱や清掃が簡単にできるように構成したものである。
【背景技術】
【０００２】
電子天秤などの精密な秤は、それを設置した部屋の空気が僅かに動いただけでも計量精度に影響が現われる。そのため、下記特許文献１に記載されているように、試料を載せるための秤量皿を囲むように風防ケースを設置して、空気の流れを遮断することが従来から行われている。
近年、化学素材や薬剤等を始めとして、高い計量精度が求められる被計量物が増えている。また、計量の実施場所も、静寂な実験室から空気の流動が絶えない製造現場まで多岐に渡っており、電子天秤の精度の維持を図る上で、風防装置が欠かせない環境で計量が行われる事例が多くなっている。
【先行技術文献】
【特許文献】
【０００３】
【特許文献１】特開２００３−１３０７２１号公報
【発明の概要】
【発明が解決しようとする課題】
【０００４】
風防装置の内部は、被計量物で汚れる場合があり、そうしたとき、風防装置の内部の清掃が必要になる。
しかし、特許文献１の風防装置は、下部基枠の四隅に支柱が設置され、各支柱の嵌合溝に側板が嵌合され、支柱の上端に上部基枠が固定される構造であるため、内部の清掃が簡単にできない、と言う課題がある。【０００５】
本発明は、こうした事情を考慮して創案したものであり、秤本体への着脱や清掃が容易であって、秤本体の高精度の計量を可能にする秤用風防装置を提供することを目的としている。
【課題を解決するための手段】
【０００６】
本発明は、秤量皿を支える支軸が上面から突出し、上面に固定された四角形状のシールド板が支軸の周囲を除く上面の略全面を覆っている秤本体に、シールド板を介して装着される風防装置であって、シールド板の外周に対応する四角形状に樹脂成形された枠状ベースフレームと、枠状ベースフレームの後ろ側の辺（後方辺）上に立設される金属製のリアフレームと、リアフレームの上端に固定される基部、及び基部の両端から前方に延出する一対のガイド部を有し、基部及びガイド部が一体に樹脂成形されたガイドフレームと、ガイドフレームのガイド部の先端に上縁が固定され、枠状ベースフレームの前側の辺（前方辺）に下縁が係止される透明なフロントパネルと、ガイドフレームの一対のガイド部により前後方向にスライド可能に支持される透明なトップパネルと、ガイドフレームの各ガイド部と枠状ベースフレームの左右の側の辺（側方辺）との間で前後方向にスライド可能に支持される透明な左右のサイドパネルと、を備え、シールド板が、対向する辺の立上がり縁のそれぞれに切欠き穴を有し、切欠き穴のそれぞれに外側から係合する爪が風防装置の側に設けられていることを特徴とする。
この風防装置は、秤量皿や風防装置の内側を清掃する際に、シールド板の切欠き穴と爪との係合を解除すれば、秤本体から取り外すことができる。また、トップパネル及び両側のサイドパネルをスライドさせて取り外すことができるため、風防装置を秤本体に装着した状態で秤量皿や風防装置の内側を清掃することも容易である。【０００７】
また、本発明の秤用風防装置は、シールド板の前方辺の立上がり縁及び後方辺の立上がり縁に切欠き穴が形成され、シールド板の前方辺の立上がり縁に形成された切欠き穴に係合する爪が、枠状ベースフレームの前方辺の裏面に内向きに設けられており、シールド板の後方辺の立上がり縁に形成された切欠き穴に係合する爪が、リアフレームの外面に固定されたラッチに設けられており、ラッチは、リアフレームに固定されたベース部と、ベース部にヒンジ部を介して水平方向に回動可能に支持された回動部と、回動部の下縁から下方に延びるシールド抑え部と、シールド抑え部に設けられた爪と、ベース部に重なる位置まで回動された回動部を係止するスナップ部と、を具備し、回動部がスナップ部に係止された状態でシールド抑え部の爪が、シールド板の後方辺の立上がり縁に形成された切欠き穴に係合することを特徴とする。
この風防装置は、シールド板の前方辺の立上がり縁に形成された切欠き穴に爪を係合させた後、リアフレームに固定されたラッチの回動部をスナップ部に係止させると、ラッチの爪がシールド板の後方辺の立上がり縁に形成された切欠き穴に係合し、秤本体に装着される。そのため、秤本体に対して風防装置をワンタッチで着脱できる。【０００８】
また、本発明の秤用風防装置では、爪が、爪の先端から離れる程、厚さが増すように成形することが望ましい。
こうすることで、爪と切欠き穴とのギャップが無くなり、秤本体に対して風防装置を安定的に装着することができる。【０００９】
また、本発明の秤用風防装置では、シールド板の左右側方辺の立上がり縁が、枠状ベースフレームの左右側方辺の内側面に当接する。
この当接により、秤本体に対して風防装置の左右方向が位置決めされる。【００１０】
また、本発明の秤用風防装置は、秤量皿より後方でリアフレームより前方の位置に、リアフレームの内側を覆う金属製のインナーパネルが配置され、このインナーパネルは、トップパネルを取り外した後、上方向に引き抜くことが可能である。
この風防装置では、インナーパネルがリアフレームの汚れを防いでおり、汚れたインナーパネルは、取り外して清掃することができる。【００１１】
また、本発明の秤用風防装置では、リアフレームの内側に折り返した両側縁に、インナーパネルを保持するとともに、引き抜かれるときのインナーパネルをガイドするインナーパネルホルダが取り付けられる。
リアフレームの内側に折り返された両側縁は、インナーパネルホルダに覆われ、露出しない。【００１２】
また、本発明の秤用風防装置は、フロントパネル、トップパネル及びサイドパネルの内面に透明な導電被膜がコーティングされており、フロントパネルに形成された導電被膜は、枠状ベースフレームの前方辺に配置されたバネ性の接触部材を介してシールド板に電気接続し、トップパネル及びサイドパネルに形成された導電被膜は、ガイドフレームの基部に配置されたバネ性の接触部材を介してリアフレームに電気接続し、リアフレームは、枠状ベースフレームの後方辺に配置されたバネ性の接触部材を介してシールド板に電気接続することを特徴とする。
風防装置が静電気を帯びると電子天秤の計量精度に影響が出るため、従来からシールド構造の風防装置が用いられている。しかし、風防装置が秤本体に対して着脱可能であり、また、トップパネル及びサイドパネルがスライド可能である場合、風防装置の導通路を確保することが難しくなるが、この風防装置では、スライド可能なトップパネル及びサイドパネルは、接触部材を用いて金属製のリアフレームに導通させ、固定されたリアフレーム及びフロントパネルは、接触部材を用いてシールド板に導通させている。【００１３】
また、本発明の秤用風防装置では、金属製のインナーパネルの下端をシールド板に接触させて、インナーパネルとシールド板とを電気接続させている。
そのため、秤本体への着脱が可能であり、トップパネル及びサイドパネルがスライド可能であり、インナーパネルが取り外し可能である風防装置であっても、計量空間の静電気を逃がすことができ、静電気に起因する電子天秤の精度の低下を抑えることができる。
【発明の効果】
【００１４】
本発明の秤用風防装置は、秤本体への着脱や内部の清掃が容易である。また、秤本体の計量精度に影響を与える静電気を逃がすことができる。
【図面の簡単な説明】
【００１５】
【図１】本発明の実施形態に係る風防装置が装着された電子秤を示す図
【図２】図１の風防装置を秤本体から外した状態を示す図
【図３】図１の風防装置とシールド板の分解斜視図
【図４】図１の風防装置の枠状ベースフレームを裏側から見た図
【図５】図１の風防装置のラッチを示す図
【図６】図１の風防装置を秤本体に装着するときの手順を示す図
【図７】図６（ｂ）の操作後の風防装置及び秤本体を示す図
【図８】図１の風防装置の爪形状を示す図
【図９】図１の風防装置のインナーパネルを引き出す状態を示す図
【図１０】図１の風防装置からシールド板への導電路を示す図
【図１１】図１０の導電路１を実現する接触部材を示す図
【図１２】図１０の導電路２及び導電路６を実現する接触部材を示す図
【図１３】図１０の導電路５を実現する接触部材を示す図
【発明を実施するための形態】
【００１６】
図１は、本発明の実施形態に係る風防装置２０が秤本体１０に装着された状態を示している。図１（ａ）は、斜め前方から見た斜視図であり、図１（ｂ）は、斜め後方から見た斜視図である。図２は、風防装置２０を秤本体１０から外した状態を示している。
秤本体１０のケース上面には、支軸（不図示）に支えられた秤量皿１１が有り、また、支軸の周囲を除くケース上面の略全面を覆う四角形状のシールド板１２がケース上面に固定されている。シールド板１２は、秤本体１０の内部と導通している。
【００１７】
風防装置２０は、図３の分解斜視図に示すように、シールド板１２の外周に相当する大きさの四角形状の枠状ベースフレーム２１と、枠状ベースフレーム２１の後ろ側の辺（後方辺）上に立設されるリアフレーム２２と、リアフレーム２２の手前に配置されるインナーパネル２８と、リアフレーム２２の上端に固定される基部２３１及び基部２３１の両端から前方に延出する一対のガイド部２３２を有するガイドフレーム２３と、ガイド部２３２の先端に上縁が固定され、枠状ベースフレーム２１の前側の辺（前方辺）に下縁が係止される透明なフロントパネル２４と、ガイドフレーム２３の一対のガイド部２３２により前後方向にスライド可能に支持される透明なトップパネル２５と、ガイドフレーム２３の各ガイド部２３２と枠状ベースフレーム２１の左右の辺（左側方辺、右側方辺）との間で前後方向にスライド可能に支持される透明な左右のサイドパネル２６、２７とを有している。
【００１８】
リアフレーム２２及びインナーパネル２８は金属製であり、枠状ベースフレーム２１は樹脂で成形されている。ガイドフレーム２３は、基部２３１とガイド部２３２とが樹脂で一体成形されている。フロントパネル２４、トップパネル２５及びサイドパネル２６、２７は、透明なガラスまたはアクリル板で構成されている。
枠状ベースフレーム２１の左右の側方辺には、スライドするサイドパネル２６、２７のガイド部２１２が設けられている。
リアフレーム２２は、枠状ベースフレーム２１の後方辺に螺子固定される取付け部２２２を下縁に有し、また、ガイドフレーム２３の基部２３１に螺子固定される取付け部２２１を上縁に有している。
【００１９】
また、リアフレーム２２は、両側縁が内側に折り返されており、この折り返し片にインナーパネル２８を保持するインナーパネルホルダ２８１が固定される。インナーパネルホルダ２８１は、リアフレーム２２の折り返し片が嵌る溝を有しており、インナーパネルホルダ２８１をリアフレーム２２の折り返し片に固定したとき、折り返し片は、インナーパネルホルダ２８１によって覆われる。
リアフレーム２２の折り返し片に固定された一対のインナーパネルホルダ２８１は、互いに向き合う面にインナーパネル２８の側縁が嵌合する溝を有しており、インナーパネル２８は、この溝によって保持され、また、インナーパネル２８を上方に引き抜くとき、この溝によってガイドされる。
インナーパネル２８は、風防装置２０が秤本体１０に装着されたとき、秤量皿１１と接触しないように、中央に凹部が設けられている。
【００２０】
ガイドフレーム２３のガイド部２３２の先端側には、フロントパネル２４の固定ボルト２４１を受け入れる螺子孔が設けられており、フロントパネル２４は、上縁が固定ボルト２４１によりガイドフレーム２３のガイド部２３２に結合され、下縁が枠状ベースフレーム２１の前方辺のフロントパネルホルダ部２１１に係止されて固定される。
また、スライドするトップパネル２５及びサイドパネル２６、２７には、ノブ２５１、２６１、２７１が固定ボルト２５２、２６２、２７２で固定される。
フロントパネル２４、トップパネル２５及びサイドパネル２６、２７の内側には、透明な導電被膜（ＩＴＯ被膜など）が形成されている。これらの導電被膜は、後述するように、最終的に、秤本体１０の内部と導通するシールド板１２に電気的に接続する。
シールド板１２の四辺は、縁部が立上っており、前方辺の立上がり縁には二箇所に切欠き穴１２１が形成され、後方辺の立上がり縁には中央の一箇所に切欠き穴１２２が形成されている。
【００２１】
図４は、枠状ベースフレーム２１の裏側を示している。枠状ベースフレーム２１の前方辺の裏面には、シールド板１２の切欠き穴１２１に係合する二つの爪２１３が内向きに形成されている。また、枠状ベースフレーム２１の左右の側方辺は、シールド板１２の左右の立上がり縁が当接する内側面２１４を裏面に有している。また、枠状ベースフレーム２１の後方辺は、前方辺や左右側方辺と違って、裏面に外周壁を有していない。これは、後述するラッチ４０の爪が枠状ベースフレーム２１の下側に入り込めるようにするためである。
【００２２】
ラッチ４０は、図１（ｂ）に示すように、リアフレーム２２の外面の下縁に固定されている。このラッチ４０は、シールド板１２の後方辺の立上がり縁に形成された切欠き穴１２２に係合する爪を備えている。
図５に示すように、このラッチ４０は、リアフレーム２２の下縁に固定されたベース部４１と、ベース部４１にヒンジ部４２を介して水平方向に回動可能に支持された回動部４３と、回動部４３の下縁から斜め下方に延びるシールド抑え部４４と、ベース部４１に重なる位置まで回動された回動部４３を係止するスナップ部４５とを有しており、切欠き穴１２２に係合する爪４４１は、シールド抑え部４４に形成されている。
この爪４４１は、秤本体１０に風防装置２０を装着した状態で、回動部４３をベース部４１に重なるまで回動し、回動部４３をスナップ部４５に係止させると、シールド板１２の後方辺の切欠き穴１２２に係合する。このとき、爪４４１の両側部４４２は、シールド板１２の後方辺の立上がり縁に当接する。
【００２３】
図６は、秤本体１０に風防装置２０を装着する手順を示している。
ラッチ４０の回動部４３をスナップ部４５から開放した状態で、図６（ａ）に示すように、風防装置２０を秤本体１０の上に載せる。このとき、シールド板１２の左右の立上がり縁は、枠状ベースフレーム２１の左右側方辺の裏側内側面２１４に当接し、秤本体１０に対する風防装置２０の横方向の位置が規制される。
次いで、図６（ｂ）の矢印方向に風防装置２０を移動させる。この移動により、枠状ベースフレーム２１の前方辺の裏面に形成された爪２１３は、シールド板１２の切欠き穴１２１に前側から係合する。移動後の風防装置２０と秤本体１０とを図７に示している。
【００２４】
次に、ラッチ４０の回動部４３をベース部４１に重なる位置まで回動して、回動部４３をスナップ部４５に係止させる。この操作で、ラッチ４０のシールド抑え部４４に形成された爪４４１が、シールド板１２の後方辺の切欠き穴１２２に後ろ側から係合し、同時に、シールド抑え部４４の両側部４４２が、シールド板１２の後方辺の立上がり縁に当接する。
そのため、秤本体１０に対する風防装置２０の前後方向の位置は、枠状ベースフレーム２１の前方辺の裏面に形成された爪２１３と、ラッチ４０のシールド抑え部４４とが、シールド板１２を前後から挟み込むことで固定される。また、左右方向の位置は、シールド板１２の左右の立上がり縁が、枠状ベースフレーム２１の左右側方辺の裏側内側面２１４に当接することで固定される。
また、逆の操作を行うことで風防装置２０を秤本体１０から取り外すことができる。
【００２５】
なお、図８（ａ）（ｂ）に示すように、枠状ベースフレーム２１の裏面に形成する爪２１３や、ラッチ４０のシールド抑え部４４に形成する爪４４１は、爪の先端から離れる程、厚さが増すように表面を傾斜させることが望ましい。こうすることで、爪２１３、４４１と切欠き穴１２１、１２２との間にギャップが生じないように両者を係合させることができ、秤本体１０に対して風防装置２０を、ガタの無い、安定的な状態で装着することができる。
【００２６】
このように、この風防装置２０は、秤本体１０への着脱をワンタッチで実行することができる。そのため、風防装置２０を秤本体１０から取り外して秤量皿１１や風防装置２０の内部を清掃し、清掃後に再び組み立てるような場合、その作業が簡単である。
【００２７】
また、この風防装置２０は、図１（ａ）に示すように、計量空間が、フロントパネル２４、トップパネル２５、サイドパネル２６、２７及びインナーパネル２８で区切られている。この内、トップパネル２５及びサイドパネル２６、２７は、後方にスライドさせて取り外すことが可能であり、インナーパネル２８は、図９に示すように、トップパネル２５を取り外した状態で上方に引き抜くことができる。
【００２８】
そのため、風防装置２０の内部が被計量物で汚れた場合に、風防装置２０を秤本体１０から外して、あるいは、風防装置２０を秤本体１０に装着したまま、フロントパネル２４やトップパネル２５、サイドパネル２６、２７あるいはインナーパネル２８を風防装置２０から取り外して清掃することができる。
この風防装置２０において、リアパネル２２を取り外すことは困難であるが、リアパネル２２は、インナーパネル２８に覆われているため、リアパネル２２の内側は計量空間に露出しておらず、被計量物により汚れる虞はない。
【００２９】
また、この風防装置２０では、シールド機能を保持するため、図１０に示すように、スライドしないフロントパネル２４に形成された導電被膜は、導電路１によりシールド板１２に電気的に接続する。また、スライドするトップパネル２５、サイドパネル２６、２７に形成された導電被膜は、それぞれ、導電路６、導電路２、導電路３により金属製のリアパネル２２に電気的に接続し、リアパネル２２を、導電路５によりシールド板１２に電気的に接続する。また、金属製のインナーパネル２８は、下端をシールド板１２に直接接触させる（導電路４）。
この導電路１、導電路２、導電路３、導電路５、導電路６は、板バネのような接触部材を用いて形成される。
【００３０】
図１１は、導電路１を形成する接触部材の一例を示している。この接触部材５０は、枠状ベースフレーム２１の前方辺の溝に配置されて、この溝に挿入されたフロントパネル２４の下部の内面（導電被膜が形成された面）に弾接するフロントパネル導電被膜接触部５０１と、シールド板１２に弾接するシールド板接触部５０２とを有している。この接触部材５０により、フロントパネル２４の導電被膜はシールド板１２に電気的に接続する。
【００３１】
また、図１２は、導電路３及び導電路６を形成する接触部材の一例を示している。この接触部材５１は、トップパネル２５の内面に接触するトップパネル導電被膜接触部５１１と、サイドパネル２７の内面に接触するサイドパネル導電被膜接触部５１２とを有しており、接触部材５１の基部が、ガイドフレーム２３の基部２３１と共に、螺子でリアパネル２２の取付け部２２１に固定される。この接触部材５１により、トップパネル２５及びサイドパネル２７の導電被膜は、リアパネル２２に電気的に接続する。
【００３２】
また、図１３（ａ）（ｂ）は、導電路５を形成する接触部材の一例を示している。この接触部材５２は、図１３（ｂ）に示すように、シールド板１２に接触する一対のシールド板接触片５２１を有し、一対のシールド板接触片５２１の間に、螺子止めされる孔を有している。この接触部材５２は、図１３（ａ）に示すように、枠状ベースフレーム２１の裏面に配置され、枠状ベースフレーム２１と共に、螺子でリアパネル２２の取付け部２２２に固定される。この接触部材５２により、リアパネル２２は、シールド板１２に電気的に接続する。
【００３３】
このように、この風防装置２０は、秤本体１０への着脱が可能であり、また、トップパネル２５及びサイドパネル２６、２７がスライド可能であっても、シールド機能を維持することができ、秤本体１０の計量精度に影響を与える静電気を逃がして、計量精度の低下を抑えることができる。
なお、ここで示した構成は、一例であって、本発明は、その構成だけに限定されるものではない。
【産業上の利用可能性】
【００３４】
本発明の秤用風防装置は、秤本体への着脱や内部の清掃が容易であり、様々な環境で計量が行われる秤に広く適用することができる。
【符号の説明】
【００３５】
１０    秤本体
１１    秤量皿
１２    シールド板
２０    風防装置
２１    枠状ベースフレーム
２２    リアフレーム
２３    ガイドフレーム
２４    フロントパネル
２５    トップパネル
２６    サイドパネル
２７    サイドパネル
２８    インナーパネル
４０    ラッチ
４１    ベース部
４２    ヒンジ部
４３    回動部
４４    シールド抑え部
４５    スナップ部
５０    接触部材
５１    接触部材
５２    接触部材
１２１  切欠き穴
１２２  切欠き穴
２１１  フロントパネルホルダ部
２１２  サイドパネルガイド部
２１３  爪
２１４  内側面
２２１  取付け部
２２２  取付け部
２３１  基部
２３２  ガイド部
２４１  フロントパネル固定ボルト
２５１  ノブ
２５２  ノブ固定ボルト
２６１  ノブ
２６２  ノブ固定ボルト
２７１  ノブ
２７２  ノブ固定ボルト
２８１  インナーパネルホルダ
４４１  爪
４４２  爪の両側部
５０１  フロントパネル導電被膜接触部
５０２  シールド板接触部
５１１  トップパネル導電被膜接触部
５１２  サイドパネル導電被膜接触部
５２１  シールド板接触片
【図１】
2014034611.tif 000003
【図２】
2014034611.tif 000004
【図３】
2014034611.tif 000005
【図４】
2014034611.tif 000006
【図５】
2014034611.tif 000007
【図６】
2014034611.tif 000008
【図７】
2014034611.tif 000009
【図８】
2014034611.tif 000010
【図９】
2014034611.tif 000011
【図１０】
2014034611.tif 000012
【図１１】
2014034611.tif 000013
【図１２】
2014034611.tif 000014
【図１３】
2014034611.tif 000015
【国際調査報告】
2014034611.tif 000016
2014034611.tif 000017
2014034611.tif 000018
2014034611.tif 000019